(57)【要約】【課題】容易に組み立てることができる電子機器モジュールを提供する。【解決手段】  電子機器モジュールはアッパケースとアッパケースに取り付けられるロアケースとカメラユニットと接続ユニットと取付部１２を備えている。接続ユニット１１はカメラユニットと接続するコネクタとコネクタを実装した基板３２と一端部３４ａが基板３２に取り付けられかつ他端部３４ｂがロアケースを貫通した孔内を通されてロアケース外まで導かれるＦＰＣ３４を備えている。取付部１２はロアケースに設けられたボス部３６と基板３２に設けられた貫通孔３７を備えている。取付部１２は基板３２の表面に沿って当該基板３２が移動することを許容しかつ基板３２の厚み方向に沿って当該基板３２が移動することを規制する。取付部１２は基板３２をロアケース９に取り付ける。【選択図】図４
2009265393.tif 000002
【特許請求の範囲】
【請求項１】
アッパケースと、
前記アッパケースに取り付けられるロアケースと、
前記アッパケースと前記ロアケースとに収容される電子機器ユニットと、
前記電子機器ユニットと外部機器とを電気的に接続する接続ユニットと、を備えた電子機器モジュールにおいて、
前記接続ユニットは、前記電子機器ユニットと接続するコネクタと、前記コネクタを実装した基板と、一端部が前記基板に取り付けられかつ他端部が前記ロアケースを貫通した孔内を通されて前記ロアケース外まで導かれる接続部材と、を備え、
前記ロアケースと前記基板とに亘って設けられ、かつ前記基板の表面に沿って当該基板が移動することを許容しかつ前記基板の厚み方向に沿って当該基板が移動することを規制して、前記基板を前記ロアケースに取り付ける取付部を備えたことを特徴とする電子機器モジュール。
【請求項２】
前記取付部は、
前記基板に設けられた貫通孔と、前記ロアケースに設けられかつ先端に前記貫通孔内を通って前記基板に係止する係止爪部を有したボス部と、を備え、
前記ボス部は、前記係止爪部が前記基板に係止すると当該基板の表面に密に接触して当該係止爪部との間に前記基板を挟みこむ挟持部と、前記挟持部と前記係止爪部との間に設けられかつ前記貫通孔よりも小さく形成されてこの貫通孔の内面と間隔をあける小径部と、を備えたことを特徴とする請求項１記載の電子機器モジュール。
【請求項３】
前記接続部材は、前記一端部と前記他端部との間の中央部に設けられた変形自在な変形部を備えたことを特徴とする請求項１又は請求項２記載の電子機器モジュール。
【請求項４】
前記ロアケース内に充填されて、前記孔を通して前記アッパケース及びロアケース内に液体が浸入することを規制するポッティング剤を備えたことを特徴とする請求項１ないし請求項３のうちいずれか一項に記載の電子機器モジュール。
【発明の詳細な説明】
【技術分野】
【０００１】
本発明は、例えば、自動車の後方上部などの所定箇所に取り付けられる電子機器ユニットとしてのカメラモジュールをケース内に収容して構成される電子機器モジュールに関する。
【背景技術】
【０００２】
移動体としての自動車の後方上部などの所定箇所に取り付けられる電子機器ユニットとしてのカメラモジュールをケース内に収容して構成される電子機器モジュールが取り付けられることがある。電子機器モジュールは、アッパケースと、このアッパケースに取り付けられるとともに当該アッパケースとの間に前記電子機器ユニットとしてのカメラモジュールを収容するロアケースと、前記カメラモジュールと、このカメラモジュールと外部機器とを接続する接続ユニットと、を備えている。
【０００３】
前記カメラモジュールは、前記アッパケースに取り付けられる。前記接続ユニットは、前記ロアケースに取り付けられる外部機器との接続用のコネクタと、前記カメラモジュールとの接続用のコネクタと、前記コネクタを両端に取り付けて当該コネクタ同士を接続するＦＰＣとを備えている。前記外部機器との接続用のコネクタは、ロアケースに取り付けられる。
【０００４】
前記電子機器モジュールは、前記アッパケースに前記カメラモジュールを取り付け、前記ロアケースに前記外部機器との接続用のコネクタを取り付けて、前記ＦＰＣを曲げながら前記カメラモジュールとの接続用のコネクタを当該カメラモジュールに取り付けかつケース同士を取り付けて組み立てられる。こうして組み立てられた電子機器モジュールは、前記外部機器との接続用のコネクタに前記自動車に配索されたワイヤハーネスのコネクタが取り付けられ、ロアケースなどが自動車の車体の後方の上部などに取り付けられる。そして、前記電子機器モジュールは、前記ワイヤハーネスを介して、カメラモジュールがインストルメントパネルなどに取り付けられるモニタに接続されて、当該カメラモジュールが撮像した画像を前記モニタに表示させる。
【発明の開示】
【発明が解決しようとする課題】
【０００５】
前述した従来の電子機器モジュールは、カメラモジュールをアッパケースに取り付け、コネクタをロアケースに取り付けて、前記ＦＰＣを曲げながらコネクタをカメラモジュールに取り付け際の作業をスムーズに行うためには、ＦＰＣをコネクタ同士を接続するために必要な寸法よりも長くする必要があった。このために、ケース同士を取り付ける際に、これらのケース間にＦＰＣが挟まることがあり、組み立て作業をスムーズに行うことが困難となっていた。
【０００６】
したがって、本発明の目的は、容易に組み立てることができる電子機器モジュールを提供することにある。
【課題を解決するための手段】
【０００７】
前述した課題を解決し目的を達成するために、請求項１に記載の本発明の電子機器モジュールは、アッパケースと、前記アッパケースに取り付けられるロアケースと、前記アッパケースと前記ロアケースとに収容される電子機器ユニットと、前記電子機器ユニットと外部機器とを電気的に接続する接続ユニットと、を備えた電子機器モジュールにおいて、前記接続ユニットは、前記電子機器ユニットと接続するコネクタと、前記コネクタを実装した基板と、一端部が前記基板に取り付けられかつ他端部が前記ロアケースを貫通した孔内を通されて前記ロアケース外まで導かれる接続部材と、を備え、前記ロアケースと前記基板とに亘って設けられ、かつ前記基板の表面に沿って当該基板が移動することを許容しかつ前記基板の厚み方向に沿って当該基板が移動することを規制して、前記基板を前記ロアケースに取り付ける取付部を備えたことを特徴としている。
【０００８】
請求項２に記載の本発明の電子機器モジュールは、請求項１記載の電子機器モジュールにおいて、前記取付部は、前記基板に設けられた貫通孔と、前記ロアケースに設けられかつ先端に前記貫通孔内を通って前記基板に係止する係止爪部を有したボス部と、を備え、前記ボス部は、前記係止爪部が前記基板に係止すると当該基板の表面に密に接触して当該係止爪部との間に前記基板を挟みこむ挟持部と、前記挟持部と前記係止爪部との間に設けられかつ前記貫通孔よりも小さく形成されてこの貫通孔の内面と間隔をあける小径部と、を備えたことを特徴としている。
【０００９】
請求項３に記載の本発明の電子機器モジュールは、請求項１又は請求項２記載の電子機器モジュールにおいて、前記接続部材は、前記一端部と前記他端部との間の中央部に設けられた変形自在な変形部を備えたことを特徴としている。
【００１０】
請求項４に記載の本発明の電子機器モジュールは、請求項１ないし請求項３のうちいずれか一項に記載の電子機器モジュールにおいて、前記ロアケース内に充填されて、前記孔を通して前記アッパケース及びロアケース内に液体が浸入することを規制するポッティング剤を備えたことを特徴としている。
【００１１】
請求項１に記載の本発明の電子機器モジュールによれば、取付部が基板の表面に沿って当該基板即ちコネクタが移動することを許容するので、電子機器ユニットをアッパケースに取り付け、基板をロアケースに取り付けて、これらケース同士を取り付けることで、コネクタが適宜移動して、電子機器ユニットとコネクタとを接続することができる。
【００１２】
また、取付部が基板の厚み方向に沿って当該基板即ちコネクタが移動することを規制するので、ケース同士を取り付けた後に、基板が位置ずれすることを防止できる。
【００１３】
請求項２に記載の本発明の電子機器モジュールによれば、ボス部が互いの間に基板を挟みこむ係止爪部と挟持部とを備えているので、取付部が基板の厚み方向に沿って当該基板即ちコネクタが移動することを確実に規制することができる。
【００１４】
また、ボス部が、取付部の貫通孔の内面と間隔をあける小径部を備えているので、取付部が基板の表面に沿って当該基板即ちコネクタが移動することを確実に許容することができる。
【００１５】
請求項３に記載の本発明の電子機器モジュールによれば、接続部材が変形部を備えているので、コネクタが電子機器ユニットに接続する際に基板の表面に沿って移動しても、変形部が変形して、接続部材のコネクタとの接続する箇所に負荷がかかることを防止できる。
【００１６】
請求項４に記載の本発明の電子機器モジュールによれば、ロアケース内にポッティング剤を充填して、ケースの内外の液体の移動を規制しているので、ケース内に不要な水分が浸入することを防止できる。
【発明の効果】
【００１７】
以上説明したように、請求項１に記載の本発明は、電子機器ユニットと基板が取り付けられたケース同士を取り付けることで、コネクタが適宜移動して、電子機器ユニットとコネクタとを接続することができる。このため、電子機器ユニットと外部機器とを容易に接続することができ、よって、容易に電子機器モジュールを組み立てることができる。
【００１８】
また、ケース同士を取り付けた後に、基板が位置ずれすることを防止できるので、電気機器ユニットとコネクタとが脱落することを防止でき、電子機器ユニットと外部機器とを確実に接続させ続けることができる。
【００１９】
請求項２に記載の本発明は、取付部が基板の厚み方向に沿って当該基板即ちコネクタが移動することを確実に規制することができるので、電気機器ユニットとコネクタとが脱落することを確実に防止できる。
【００２０】
また、取付部が基板の表面に沿って当該基板即ちコネクタが移動することを確実に許容することができるので、電子機器ユニットと外部機器とを確実に容易に接続することができる。
【００２１】
請求項３に記載の本発明は、接続部材のコネクタとの接続する箇所に負荷がかかることを防止できるので、接続部材とコネクタとの接続が不安定になること防止でき、勿論、接続部材とコネクタとの接続が切断されてしまうことを防止できる。
【００２２】
請求項４に記載の本発明は、ケース内に不要な水分が浸入することを防止できるので、電子機器ユニットに不具合が発生することを防止できる。
【発明を実施するための最良の形態】
【００２３】
本発明の一実施形態にかかる電子機器モジュールを、図１ないし図４を参照して説明する。図１になどに示す電子機器モジュール１は、自動車の後方上部（例えば、リアパネル２の上部）などに取り付けられる。
【００２４】
リアパネル２は、自動車の車体の一部であり、板金などで構成されている。リアパネル２には、図１に示すように、自動車の配索されるワイヤハーネス３の端末に設けられたコネクタ４を通すためにの孔５と、ねじ６を通す孔７とが設けられている。ワイヤハーネス３は、自動車のインストルメントパネルに取り付けられる外部機器としてのモニタ装置（図示せず）と接続している。
【００２５】
電子機器モジュール１は、図２及び図３に示すように、アッパケース８と、ロアケース９と、電子機器ユニットとしてのカメラユニット１０と、接続ユニット１１と、取付部（図３に示す）１２とを備えている。
【００２６】
アッパケース８は、金属で構成され、天井壁１３と、この天井壁１３の外縁から立設した周壁１４とを備えている。天井壁１３には、丸孔１５が貫通している。
【００２７】
ロアケース９は、金属で構成され、底壁１６と、この底壁１６の外縁から立設した周壁１７とを備えている。底壁１６には、前述したコネクタ４と嵌合する筒状のコネクタ部１８と、図示しないねじ孔とが設けられている。コネクタ部１８は、前記底壁１６から立設した筒部１９と、前記コネクタ４と係合するためのロックアーム２０と、筒部１９の内側に設けられかつ前記底壁１６から立設した立設板部２１とを備えている。筒部１９には、その内側に前記コネクタ４が侵入する。ロックアーム２０は、前記コネクタ４の図示しないロック突起と係合する。立設板部２１は、前記コネクタ４の雌端子と接続する。ねじ孔は、底壁１６を貫通しているとともに前記ねじ６がねじ込まれる。
【００２８】
また、底壁１６には、前記筒部１９内に開口した孔２２が貫通している。孔２２は、その縁が立設板部２１の表面と面一となっている。
【００２９】
アッパケース８とロアケース９とは、周壁１４，１７の縁同士が互いに重ねられて、互いに取り付けられる。
【００３０】
カメラユニット１０は、フレーム部材２３と、シェルフレーム２４と、印刷配線板２５と、ＣＣＤカメラ２６と、ＣＣＤ用コネクタ２７と、Ｏリング２８と、一対のシールドシェル２９と、を備えている。
【００３１】
フレーム部材２３は、枠状（図示例では、外縁の平面形状が矩形状の枠状）に形成されている。シェルフレーム２４は、フレーム部材２３と略同じ大きさの枠状に形成されている。シェルフレーム２４は、フレーム部材２３と間隔をあけて重ねられている。印刷配線板２５は、フレーム部材２３及びシェルフレーム２４の外縁の名形状と、その平面形状が等しい矩形状に形成されている。印刷配線板２５は、フレーム部材２３とシェルフレーム２４との間に挟まれている。また、印刷配線板２５は、ＣＣＤカメラ２６とＣＣＤ用コネクタ２７とを電気的に接続している。
【００３２】
ＣＣＤカメラ２６は、印刷配線板２５のアッパケース８の天井壁１３に相対する表面上に実装されている。ＣＣＤカメラ２６は、前記丸孔１５内に望むレンズ４２を備えている。ＣＣＤカメラ２６は、レンズ４２を通してアッパケース８の外側を撮像する。
【００３３】
ＣＣＤ用コネクタ２７は、印刷配線板２５のロアケース９の底壁１６に相対する表面上に実装されている。Ｏリング２８は、弾性を有する合成樹脂で構成され、かつ輪状に形成されている。Ｏリング２８は、ＣＣＤカメラ２６のレンズ４２の周りと、天井壁１３の丸孔１５の周りとの間に配置されて、これらの間を水密に保って、アッパケース８内に水などの液体が浸入することを防止する。
【００３４】
一対のシールドシェル２９は、それぞれ、導電性の金属板などが折り曲げられて構成されている。シールドシェル２９は、互いに固定されるための係合部３０と係合受け部３１とが設けられている。シールドシェル２９は、互いに固定されると、枠状をなして、前記フレーム部材２３、印刷配線板２５、ＣＣＤカメラ２６、ＣＣＤ用コネクタ２７及びシェルフレーム２４を覆う。
【００３５】
前述したカメラユニット１０は、フレーム部材２３と、ＣＣＤカメラ２６及びＣＣＤ用コネクタ２７を実装した印刷配線板２５と、シェルフレーム２４と、が順に重ねられ、これらを一対のシールドシェル２９で覆って組みたてられる。そして、Ｏリング２８が、ＣＣＤカメラ２６のレンズ４２の周りに重ねられて、アッパケース８に取り付けられる。
【００３６】
接続ユニット１１は、基板３２と、コネクタ３３と、接続部材としてのＦＰＣ（フレキシブル・プリント・サーキット）３４とを備えている。基板３２は、互いに間隔をあけて重ねられた一対の印刷配線板３５を備えている。一対の印刷配線板３５は、互いの間にＦＰＣ３４の一端部３４ａを挟んでいる。
【００３７】
コネクタ３３は、印刷配線板３５のアッパケース８の天井壁１３に相対する表面に実装されている。コネクタ３３は、ＣＣＤ用コネクタ２７と接続する。
【００３８】
ＦＰＣ３４は、銅合金などで構成された線状の導体と、当該導体を互いの間に挟んだポリイミドなどの合成樹脂で構成された一対の絶縁フィルムとを備えて、全体として可撓性を有している。ＦＰＣ３４は、一端部３４ａが印刷配線板３５間に挟まれて基板３２に取り付けられて前記導体が前記コネクタ３３と電気的に接続している。ＦＰＣ３４は、他端部３４ｂが孔２２内を通されて前記ロアケース９の外部まで導かれて、立設板部２１に重ねられて、当該立設板部２１に取り付けられている。
【００３９】
また、ＦＰＣ３４は、その他端部３４ｂにおいて、絶縁フィルムの一部が除去されて導体が露出している。ＦＰＣ３４即ち接続ユニット１１は、コネクタ部１８に嵌合したコネクタ４及びワイヤハーネス３を介してモニタ装置と電気的に接続する。
【００４０】
さらに、ＦＰＣ３４は、それ自身が可撓性を有しているので、一端部３４ａと他端部３４ｂとの間の中央部３４ｃが、変形自在な変形部をなしている。
【００４１】
取付部１２は、図４に示すように、ロアケース９の底壁１６から立設したボス部３６と、基板３２に設けられた貫通孔３７とを備えている。ボス部３６は、図４に示すように、底壁１６から立設した円柱状の挟持部３８と、この挟持部３８から立設した一対の小径部３９と、当該小径部３９の先端に連なった一対の係止爪部４０とを一体に備えている。
【００４２】
小径部３９は、互いに間隔をあけかつ平行に配置されている。小径部３９は、貫通孔３７内に通される。小径部３９は、貫通孔３７内に通されると、当該その外周面が貫通孔３７の内面と間隔をあける。このため、小径部３９は、挟持部３８と係止爪部４０との間に設けられかつ貫通孔３７よりも小さく形成されてこの貫通孔３７の内面と間隔をあける。係止爪部４０は、小径部３９即ちボス部３６の先端に設けられて、貫通孔３７内に通されて基板３２のコネクタ３３が設けられた印刷配線板３５の表面に密に係止する。貫通孔３７は、基板３２を貫通しかつその内径が小径部３９の外径よりも大きく形成されている。
【００４３】
前述した取付部１２は、貫通孔３７内に係止爪部４０からボス部３６が圧入される。すると、一対の係止爪部４０が互いに近づく方向に小径部３９が一旦弾性変形した後、係止爪部４０が貫通孔３７内を通ると、小径部３９の弾性復元力により、係止爪部４０が基板３２の印刷配線板３５の表面に密に重なるとともに、ボス部３６の挟持部３８上に基板３２が密に接触して重なる。こうして、係止爪部４０と、ボス部３６との間に基板３２を挟みこむ。すると、取付部１２は、小径部３９が貫通孔３７の内面と間隔をあける。こうして、取付部１２は、ロアケース９に接続ユニット１１の基板３２を取り付ける。
【００４４】
取付部１２は、ボス部３６と係止爪部４０とが基板３２に密に接触するので、基板３２が当該基板３２の厚み方向に沿ってロアケース９に対して移動することを規制する。また、取付部１２は、小径部３９が貫通孔３７の内面と間隔をあけるので、基板３２が当該基板３２の表面に沿ってロアケース９に対して移動することを許容する。このように、取付部１２は、ボス部３６と貫通孔３７とを備えているので、ロアケース９と基板３２とに亘って設けられて、基板３２をロアケース９に取り付けている。
【００４５】
また、前述した電子機器モジュール１は、ロアケース９内に液状の状態で充填されて硬化したポッティング剤４１が充填されている。ポッティング剤４１は、例えば、シリコーンで構成されている。そして、このシリコーンは、揺変性を有した室温硬化型シリコーンゴムであるのが好ましい。ここでいう揺変性とは、硬化前のシリコーンゴムが、一定以上の振動等を加えると液体状態（流動性が高い状態）となり、静置状態では固体状態（前記液体状態よりも流動性が低い状態）となる性質のことである。
【００４６】
ポッティング剤４１が揺変性であることによって、液体状態で止水すべき部位に確実に入り込み、前記部位に入り込んだまま固体状態となって当該部位に留まるので、前記部位を確実に水密に保つことができる。また、ポッティング剤４１が室温硬化型であることによって、ポッティング剤４１を硬化させるために加熱する必要がなくなって製造工程が簡素化され、また加熱装置が必要なくなって製造設備の増加を防止できる。ポッティング剤４１は、孔２２を通してアッパケース８及びロアケース９内に液体が浸入することを規制する。
【００４７】
さらに、電子機器モジュール１は、ロアケース９の底壁１６に重ねられる平板状の導電性のグランドシェル４３を備えている。
【００４８】
前述した構成の電子機器モジュール１は、以下のように、組み立てられる。まず、カメラユニット１０をアッパケース８に取り付ける。そして、ＦＰＣ３４の他端部３４ｂを孔２２内に通して立設板部２１に重ねて、当該立設板部２１に取り付け、取付部１２によりロアケース９に基板３２を取り付ける。その後、ロアケース９内に液状のポッティング剤４１を充填して、当該ポッティング剤４１を硬化させる。こうして、ロアケース９に接続ユニット１１を取り付ける。
【００４９】
そして、接続ユニット１１のコネクタ３３をカメラユニット１０のＣＣＤ用コネクタ２７に嵌合させながら、ケース８，９同士を取り付ける。すると、取付部１２が、接続ユニット１１の基板３２を当該基板３２の表面に沿って移動することを許容しているので、コネクタ２７，３３の位置に応じて、接続ユニット１１の基板３２の位置が移動する。さらに、ロアケース９にグランドシェル４３を重ねて、リアパネル２の孔７を通ったねじ６がねじ孔にねじ込まれることで、電子機器モジュール１が自動車のリアパネル２に取り付けられる。
【００５０】
本実施形態によれば、取付部１２が基板３２の印刷配線板３５の表面に沿って当該基板３２即ちコネクタ３３が移動することを許容するので、カメラユニット１０をアッパケース８に取り付け、基板３２をロアケース９に取り付けて、これらケース８，９同士を取り付けることで、コネクタ３３が適宜移動して、カメラユニット１０とコネクタ３３とを接続することができる。このため、カメラユニット１０とモニタ装置とを容易に接続することができ、よって、容易に電子機器モジュール１を組み立てることができる。
【００５１】
また、取付部１２が基板３２の厚み方向に沿って当該基板３２即ちコネクタ３３が移動することを規制するので、ケース８，９同士を取り付けた後に、基板３２が位置ずれすることを防止できる。したがって、カメラユニット１０とコネクタ３３とが脱落することを防止でき、カメラユニット１０とモニタ装置とを確実に接続させ続けることができる。
【００５２】
ボス部３６が互いの間に基板３２を挟みこむ係止爪部４０と挟持部３８とを備えているので、取付部１２が基板３２の厚み方向に沿って当該基板３２即ちコネクタ３３が移動することを確実に規制することができる。したがって、カメラユニット１０とコネクタ３３とが脱落することを確実に防止できる。
【００５３】
また、ボス部３６が、取付部１２の貫通孔３７の内面と間隔をあける小径部３９を備えているので、取付部１２が基板３２の表面に沿って当該基板即ちコネクタ３３が移動することを確実に許容することができる。したがって、カメラユニット１０とモニタ装置とを確実に容易に接続することができる。
【００５４】
ＦＰＣ３４の中央部３４ｃが変形部となっているので、コネクタ３３がカメラユニット１０に接続する際に基板３２の表面に沿って移動しても、変形部としての中央部３４ｃが変形して、ＦＰＣ３４のコネクタ３３との接続する箇所に負荷がかかることを防止できる。
【００５５】
したがって、ＦＰＣ３４とコネクタ３３との接続が不安定になること防止でき、勿論、ＦＰＣ３４とコネクタ３３との接続が切断されてしまうことを防止できる。
【００５６】
ロアケース９内にポッティング剤４１を充填して、ケース８，９の内外の液体の移動を規制しているので、ケース８，９内に不要な水分が浸入することを防止できる。よって、カメラユニット１０に不具合が発生することを防止できる。
【００５７】
前述した実施形態では、接続部財としてのＦＰＣ３４を用いているが、本発明では、ＦＰＣ３４に限らず、周知のＦＦＣやバスバなどを用いても良いことは勿論である。
【００５８】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５９】
【図１】本発明の一実施形態にかかる電子機器モジュールなどの斜視図である。
【図２】図１に示された電子機器モジュールの分解斜視図である。
【図３】図１中のＩＩＩ−ＩＩＩ線に沿う断面図である。
【図４】図３に示された取付部を拡大して示す断面図である。
【符号の説明】
【００６０】
１  電子機器モジュール
８  アッパケース
９  ロアケース
１０  カメラユニット（電子機器ユニット）
１１  接続ユニット
１２  取付部
２２  孔
３２  基板
３３  コネクタ
３４  ＦＰＣ（接続部材）
３４ａ  一端部
３４ｂ  他端部
３４ｃ  中央部（変形部）
３６  ボス部
３７  貫通孔
３８  挟持部
３９  小径部
４０  係止爪部
４１  ポッティング剤
【図１】
2009265393.tif 000003
【図２】
2009265393.tif 000004
【図３】
2009265393.tif 000005
【図４】
2009265393.tif 000006